(57)【特許請求の範囲】
【請求項１】
それぞれがスイッチング素子を介して信号線に接続された複数の画素を有し、
前記複数の画素のそれぞれは、前記信号線から供給される信号電圧に対して互いに異なる電圧−輝度特性を有する第１副画素および第２副画素であって、前記第１副画素のしきい値信号電圧が前記第２副画素のしきい値信号電圧よりも低い第１副画素および第２副画素を備え、
前記複数の画素は、赤画素、緑画素および青画素からなるカラー表示画素を構成しており、
前記赤画素、前記緑画素および前記青画素のそれぞれにおける前記第１副画素の面積比率をＳＲ１、ＳＧ１およびＳＢ１とし、
前記赤画素、前記緑画素および前記青画素のそれぞれの前記第１副画素の一垂直走査期間における点灯期間比率をＴＲ１、ＴＧ１およびＴＢ１とすると、
（ＳＲ１×ＴＲ１）＞（ＳＧ１×ＴＧ１）＞（ＳＢ１×ＴＢ１）の関係が成立する、液晶表示装置。
【請求項２】
０．１５＜（ＳＲ１×ＴＲ１）≦１．００、０．０３＜（ＳＧ１×ＴＧ１）＜０．７５、０．０２＜（ＳＢ１×ＴＢ１）＜０．７１の関係を満足する請求項１に記載の液晶表示装置。
【請求項３】
前記赤画素は、入力階調−正面輝度曲線と入力階調−斜め４５°視角輝度曲線とが一致する点を、１０５階調／２５５階調以上２５５階調／２５５階調以下の範囲内に有し、
前記緑画素は、入力階調−正面輝度曲線と入力階調−斜め４５°視角輝度曲線とが一致する点を、５２階調／２５５階調以上２２３階調／２５５階調以下の範囲内に有し、
前記青画素は、入力階調−正面輝度曲線と入力階調−斜め４５°視角輝度曲線とが一致する点を、４４階調／２５５階調以上２１７階調／２５５階調以下の範囲内に有する、請求項１または２に記載の液晶表示装置。
【請求項４】
前記赤画素、前記緑画素および前記青画素のそれぞれの前記第１副画素の一垂直走査期間における点灯期間比率ＴＲ１、ＴＧ１およびＴＢ１は、１．００である、請求項１から３のいずれかに記載の液晶表示装置。
【発明の詳細な説明】
【技術分野】
【０００１】
本発明は液晶表示装置に関し、特にカラー液晶表示装置に関する。
【背景技術】
【０００２】
近年、液晶表示装置の表示品位が向上し、テレビジョン用途にも広く利用されるようになっているものの、表示品位の更なる向上に対するニーズも高まっている。【０００３】
液晶表示装置に特有の問題として、観察する方向（視角）によって表示品位が変わるという問題、いわゆる視角特性が劣るという問題がある。従来のＴＮモードの液晶表示装置では、階調が反転することがあった。近年広く利用されている液晶表示装置は、比較的広い視角範囲において１０以上のコントラスト比で画像を表示することができるが、階調特性（γ特性）に視角依存性があることが問題になっている。【０００４】
この問題を解決するために、いわゆる画素分割という技術が提案されている。画素分割とは、従来単一の画素で表示していた輝度を、空間的または時間的に分割した２以上の副画素で表示する方法を指す。２以上の副画素は、少なくとも表示すべき輝度よりも高い輝度を表示する明副画素と表示すべき輝度よりも低い輝度を表示する暗副画素とを有する。空間的な画素分割技術は、例えば特許文献１〜３に記載されている。また、時間的な画素分割技術は例えば特許文献４に記載されている。
【特許文献１】特開２００４−６２１４６号公報
【特許文献２】特開２００４−７８１５７号公報
【特許文献３】特開２００５−１８９８０４号公報
【特許文献４】特開２００５−１７３５７３号公報
【非特許文献１】新編色彩科学ハンドブック（第２版）、日本色彩学会編、東京大学出版会、ｐ．１０２６〜ｐ．１０２７、ｐ．１３０３（１９９８）
【発明の開示】
【発明が解決しようとする課題】
【０００５】
しかしながら、上記特許文献１〜４に記載の画素分割技術を用いても階調特性（γ特性とも言う。）の視角依存性を完全に補償することはできない。【０００６】
この問題を特許文献１〜３に記載されている空間的な画素分割技術を例に図１を参照して説明する。【０００７】
図１（ａ）は画素分割を行っていない従来の垂直配向モード（ＶＡモード）の液晶表示装置の１画素Ｐ0の構造を模式的に示す図であり、図１（ｂ）はその入力階調−輝度特性を模式的に示すグラフである。また、図１（ｃ）は画素分割構造を有するＶＡモードの液晶表示装置の１画素Ｐの構造を模式的に示す図であり、図１（ｄ）はその入力階調−輝度特性を模式的に示すグラフである。【０００８】
図１（ａ）に示す従来のＶＡモードの液晶表示装置は、図１（ｂ）に示すような入力階調−輝度特性を有する。正面視角（表示面法線方向）において所定の輝度が得られるように、例えば階調特性がγ＝２．２の曲線となるように設定されている。しかしながら、視角（表示面法線からの極角）が４５°（斜め４５°視角という）になると、階調特性がγ＝２．２の曲線から大きくずれる。なお、図１（ｂ）の階調特性を示す方位角方向は、液晶層を間に介してクロスニコルに配置された一対の偏光板の透過軸に平行または直交する方向である。以下の説明においても特に示さない限り、方位角方向は上記の方向である。【０００９】
これに対し、特許文献１〜３に記載されている図１（ｃ）に示すように１つの画素Ｐが第１副画素ＳＰ１および第２副画素ＳＰ２を有する液晶表示装置では、斜め４５°視角の階調特性が正面視角における階調特性（γ＝２．２の曲線）からのずれ量が低減される。【００１０】
例えば、第１副画素ＳＰ１が表示すべき輝度よりも高い輝度を表示する明副画素で、第２副画素ＳＰ２が表示すべき輝度よりも低い輝度を表示する暗副画素とすると、図１（ｄ）における低階調側の部分は第１副画素ＳＰ１の特性に主に支配されており、高階調側の部分は第２副画素ＳＰ２の特性に主に支配されている。画素Ｐに供給される信号電圧に対する２つの副画素の透過率（階調）特性（Ｖ−Ｔ特性）を考えると、第１副画素ＳＰ１は光学的なしきい値電圧ＶOｔｈが低い副画素であり、第２副画素ＳＰ２は光学的なしきい値電圧ＶOｔｈが高い副画素であると言える。【００１１】
特許文献１〜３に記載されているように、２つの副画素に互いに電気的に独立な補助容量を設け、補助容量の補助容量対向電極に供給する電圧に差を与えることによって明副画素と暗副画素とを作る構成を採用すると、２つの副画素ＳＰ１およびＳＰ２に共通の信号線から信号電圧を供給することができ、且つ、走査線も共通にできるという利点がある（例えば特許文献１の図１２）。また、この構成を採用すると、低階調側（黒表示に近い側）の階調特性を改善する効果が高く、表示品位の改善効果が高い。なお、この構成において、補助容量の他の方の電極（補助容量電極）には副画素電極に信号線から供給される信号電圧と同じ電圧が供給される。【００１２】
図１（ｄ）の階調特性に示されているように、階調特性の視角依存性は低減されるものの、斜め４５°視角の曲線が正面視角の曲線と一致するのは一点（僅かな範囲）でしかない。すなわち、特定の階調においては、視角を傾けても輝度が殆ど変化しないのに対し、他の階調においては視角を傾ける（極角を増大させる）と輝度が変化することになる。この輝度の変化は、カラー表示においては色の変化として現れる。【００１３】
もちろん、画素分割数を空間的、時間的に増大させることにより、階調特性（色再現性）の視角依存性をさらに低減することができるが、当然にコストが上昇する。高品位の表示が可能な液晶表示装置を妥当な価格で市場に提供するためには分割数を増加させることなく、階調特性（色再現性）を改善することが望まれる。【００１４】
本発明は上記諸点に鑑みてなされたものであり、画素分割構造における分割数を増加させること無く、液晶表示装置の階調特性（色再現性）の視角依存性を低減することを目的とする。
【課題を解決するための手段】
【００１５】
本発明の液晶表示装置は、それぞれがスイッチング素子を介して信号線に接続された複数の画素を有し、前記複数の画素のそれぞれは、前記信号線から供給される信号電圧に対して互いに異なる電圧−輝度特性を有する第１副画素および第２副画素であって、前記第１副画素のしきい値信号電圧が前記第２副画素のしきい値信号電圧よりも低い第１副画素および第２副画素を備え、前記複数の画素は、赤画素、緑画素および青画素からなるカラー表示画素を構成しており、前記赤画素、前記緑画素および前記青画素のそれぞれにおける前記第１副画素の面積比率をＳＲ１、ＳＧ１およびＳＢ１とし、前記赤画素、前記緑画素および前記青画素のそれぞれの前記第１副画素の一垂直走査期間における点灯期間比率をＴＲ１、ＴＧ１およびＴＢ１とすると、（ＳＲ１×ＴＲ１）＞（ＳＧ１×ＴＧ１）＞（ＳＢ１×ＴＢ１）の関係が成立することを特徴とする。【００１６】
ある実施形態において、０．１５＜（ＳＲ１×ＴＲ１）≦１．００、０．０３＜（ＳＧ１×ＴＧ１）＜０．７５、０．０２＜（ＳＢ１×ＴＢ１）＜０．７１の関係を満足することが好ましい。さらに、０．４２＜赤（ＳＲ１×ＴＲ１）≦０．９５、０．２２＜緑（ＳＧ１×ＴＧ１）＜０．７８、０．１５＜青（ＳＢ１×ＴＢ１）＜０．４４の関係を満足することが好ましい。【００１７】
ある実施形態において、前記赤画素は、入力階調−正面輝度曲線と入力階調−斜め４５°視角輝度曲線とが一致する点を、１０５階調／２５５階調以上２５５階調／２５５階調以下の範囲内に有し、前記緑画素は、入力階調−正面輝度曲線と入力階調−斜め４５°視角輝度曲線とが一致する点を、５２階調／２５５階調以上２２３階調／２５５階調以下の範囲内に有し、前記青画素は、入力階調−正面輝度曲線と入力階調−斜め４５°視角輝度曲線とが一致する点を、４４階調／２５５階調以上２１７階調／２５５階調以下の範囲内に有することが好ましい。【００１８】
ある実施形態において、前記赤画素、前記緑画素および前記青画素のそれぞれの前記第１副画素の一垂直走査期間における点灯期間比率ＴＲ１、ＴＧ１およびＴＢ１は、１．００である。
【発明の効果】
【００１９】
本発明の液晶表示装置は、皮膚色の再現性が視角によって変化しないように、副画素の面積比率および／または点灯期間比率が設定されているので、画素分割構造における分割数を増加させること無く、液晶表示装置の階調特性（色再現性）の視角依存性を低減することができる。
【図面の簡単な説明】
【００２０】
【図１】（ａ）は画素分割を行っていない従来の垂直配向モード（ＶＡモード）の液晶表示装置の１画素Ｐ0の構造を模式的に示す図であり、（ｂ）はその入力階調−輝度特性を模式的に示すグラフであり、（ｃ）は画素分割構造を有するＶＡモードの液晶表示装置の１画素Ｐの構造を模式的に示す図であり、（ｄ）はその入力階調−輝度特性を模式的に示すグラフである。
【図２】日本人男女の皮膚色の分布（マンセル表示色系）をＣＩＥ表示色系に変換した結果を示す図である。
【図３】従来の画素分割構造において皮膚色の色再現性が視角によって低下する理由を説明するための図である。
【図４】従来の画素分割構造において、第１副画素ＳＰ１と第２副画素ＳＰ２との面積比を１：１とした場合の階調特性を示すグラフである。
【図５】本発明の実施形態の液晶表示装置のＲ画素の階調特性を示すグラフである。
【図６】本発明の実施形態の液晶表示装置のＧ画素の階調特性を示すグラフである。
【図７】本発明の実施形態の液晶表示装置のＢ画素の階調特性を示すグラフである。
【図８】本発明による他の実施形態の液晶表示装置１００の１つの画素１０の構成を模式的に示す図である。
【符号の説明】
【００２１】
１０  画素
１０ａ、１０ｂ  副画素
１２ａ、１２ｂ  走査線
１４  信号線
１６ａ、１６ｂ  ＴＦＴ
１８ａ、１８ｂ  副画素電極
１００  液晶表示装置
【発明を実施するための最良の形態】
【００２２】
本発明者は、比較的少ない画素分割数、例えば最小分割数である２分割で、階調特性（色再現性）を改善することを検討した。【００２３】
表示装置の色再現性については、記憶色が重要視される。表示装置に表示される画像は被写体と直接比較できない場合がほとんどであるため、表示画像と観察者が記憶している画像との関係が重要になる。テレビジョン用途の表示装置については、記憶色の中でも、人間の皮膚の色（以下、「皮膚色」という。）が特に重要と考えられる（例えば非特許文献１）。【００２４】
非特許文献１の第１３０３ページに記載されている日本人男女の皮膚色の分布（マンセル表示色系）をＣＩＥ表示色系に変換した結果を図２に示す。図２からわかるように日本人男女の皮膚色は、０．３≦ｘ、ｙ≦０．５で且つ直線ＡとＢとに挟まれた領域内に存在する。また、Ｊａｍｉｅ  Ｓｈｅｒｒａｈらによると、皮膚色は人種によらず色相で限定される一定の範囲内に存在する（例えば、ｈｔｔｐ：／／ｈｏｍｅｐａｇｅｓ．ｉｎｆ．ｅｄ．ａｃ．ｕｋ／ｒｂｆ／ＣＶｏｎｌｉｎｅ／ＬＯＣＡＬ＿ＣＯＰＩＥＳ／ＧＯＮＧ１／ｃｖＯｎｌｉｎｅ−ｓｋｉｎＣｏｌｏｕｒＡｎａｌｙｓｉｓ．ｈｔｍｌのＦｉｇ．１参照）。発明者の検討によると、上記Ｆｉｇ．１に示されている皮膚色の色相範囲は、図２に示した範囲とほとんど一致する。【００２５】
本発明者が種々の画像から、２５の皮膚色（人種としては白人、黒人および黄色人種を含む）をサンプリングし、各皮膚色を赤（Ｒ）、緑（Ｇ）および青（Ｂ）の三原色の階調（０階調から２５５階調までの２５６階調とした）で表した結果を表１に示す。表１には、各原色の最大値および最小値をあわせて示す。【００２６】
【表１】
0004570661.tif 000002
【００２７】
表１からわかるように、Ｒ、ＧおよびＢの階調は互いに異なっている。さらに、階調の範囲（最小値〜最大値）は、Ｒが１０５〜２５５階調、Ｇが５２〜２２３階調、Ｂが４４〜２１７階調とかなり広い。その一方で、各皮膚色における三原色の階調は、Ｒ＞Ｇ＞Ｂの順になっていることがわかる。【００２８】
図１に示した階調特性を有する液晶表示装置に皮膚色を表示した場合を考える。その皮膚色が図３にＲ、ＧおよびＢの棒で示した位置の横軸で示される階調で構成されているとすると、斜め４５°視角から観察すると、Ｒ、ＧおよびＢの各輝度はそれぞれの棒の長さで示されるだけ変化することになる。すなわち、Ｇはほとんど変化しないのに対し、ＲおよびＢの変化量が多い。従って、視角を傾けると皮膚色が変わって見えてしまうことになる。【００２９】
上述したように、皮膚色は記憶色として特に重要なことから、皮膚色の再現性が悪いと観察者は表示装置の色再現性が悪いと認識してしまう。そこで、この問題を解決するために、画素分割技術を用いて階調特性の視角依存性を改善する場合に、全ての画素に同じ階調特性を持たせるのではなく、各原色について皮膚色の再現性に重要な階調の視角依存性を改善するように構成する。すなわち、Ｒ画素、Ｇ画素およびＢ画素のそれぞれについて異なる階調特性を持たせる。【００３０】
以下に、上述の特許文献１〜３に記載されている画素分割技術を用いた実施形態を説明する。【００３１】
本実施形態の液晶表示装置が有する複数の画素Ｐのそれぞれは、第１副画素ＳＰ１および第２副画素ＳＰ２を有する。第１副画素ＳＰ１および第２副画素ＳＰ２はスイッチング素子（例えばＴＦＴ）を介して信号線に接続されており、信号線から供給される信号電圧に対して互いに異なる電圧−輝度特性を有する。ここでは、第１副画素ＳＰ１のしきい値信号電圧が第２副画素ＳＰ２のしきい値信号電圧よりも低い。すなわち、第１副画素ＳＰ１は当該画素が表示すべき輝度よりも高い輝度を表示する明副画素で、第２副画素ＳＰ２は当該画素が表示すべき輝度よりも低い輝度を表示する暗副画素である。【００３２】
複数の画素Ｐは、それぞれがＲ画素、Ｇ画素およびＢ画素からなる複数のカラー表示画素を構成している。カラー表示画素がカラー表示の最小単位である。Ｒ画素、Ｇ画素およびＢ画素は例えばストライプ状に配列されている。さらに、副画素ＳＰ１とＳＰ２との面積比が、Ｒ画素、Ｇ画素およびＢ画素において異なっており、Ｒ画素、Ｇ画素およびＢ画素のそれぞれにおける第１副画素ＳＰ１の面積比率をＳＲ１、ＳＧ１およびＳＢ１とすると、ＳＲ１＞ＳＧ１＞ＳＢ１の関係が成立する。Ｒ画素、Ｇ画素およびＢ画素のそれぞれにおける第２副画素ＳＰ２の面積比率をＳＲ２、ＳＧ２、ＳＢ２とすると、ＳＲ２＝１−ＳＲ１、ＳＧ２＝１−ＳＧ１、ＳＢ２＝１−ＳＢ１なので、ＳＲ２＜ＳＧ２＜ＳＢ２の関係が成立する。【００３３】
Ｒ画素、Ｇ画素およびＢ画素のそれぞれにおける第１副画素ＳＰ１の面積比率をＳＲ１＞ＳＧ１＞ＳＢ１の関係が成立するように形成すると、画素分割構造によって視角依存性が最も改善される階調の関係が、赤色、緑色、青色の順で低くなる。すなわち、上述した皮膚色における赤色、緑色、青色の階調の順序となる。【００３４】
例えば、図４に第１副画素ＳＰ１と第２副画素ＳＰ２との面積比を１：１とした場合の階調特性を示す。図４には正面視角、斜め４５°視角、斜め６０°視角の階調特性を示している。図３を参照して説明したように、Ｒ、ＧおよびＢの各画素が図４に示す階調特性を有していると、視角を大きくすると皮膚色の色再現性が低下することになる。【００３５】
これに対して、本実施形態の液晶表示装置では、例えば、ＳＲ１を０．５４、ＳＧ１を０．２７、ＳＢ１を０．２０とする。図５にＲ画素の階調特性を示し、図６にＧ画素の階調特性を示し、図７にＢ画素の階調特性を示す。図５〜７においては、正面視角、斜め４５°視角、斜め６０°視角の階調特性を示している。【００３６】
図５に示したように、ＳＲ１が０．５４のＲ画素は入力階調が１９２／２５５階調付近で斜め４５°視角、斜め６０°視角の階調特性が正面視角の階調特性（ここではγ＝２．２の曲線）と一致している。【００３７】
図６に示したように、ＳＧ１が０．２７のＧ画素は入力階調が１４０／２５５階調付近で斜め４５°視角、斜め６０°視角の階調特性が正面視角の階調特性と一致している。【００３８】
また、図７に示したように、ＳＢ１が０．２０のＢ画素は入力階調が１２０／２５５階調付近で斜め４５°視角、斜め６０°視角の階調特性が正面視角の階調特性と一致している。【００３９】
従って、ＳＲ１を０．５４、ＳＧ１を０．２７、ＳＢ１を０．２０とした本発明の実施形態の液晶表示装置は、Ｒが１９２／２５５階調付近、Ｇが１４０／２５５階調付近、Ｂが１２０／２５５階調付近で表現される皮膚色の色再現性がほとんど視角に依存しない。【００４０】
表１に示した結果から、Ｒ画素は、入力階調−正面輝度曲線と入力階調−斜め４５°視角輝度曲線とが一致する点を１０５階調／２５５階調以上２５５階調／２５５階調以下の範囲内に有し、Ｇ画素は、入力階調−正面輝度曲線と入力階調−斜め４５°視角輝度曲線とが一致する点を５２階調／２５５階調以上２２３階調／２５５階調以下の範囲内に有し、Ｂ画素は、入力階調−正面輝度曲線と入力階調−斜め４５°視角輝度曲線とが一致する点を、４４階調／２５５階調以上２１７階調／２５５階調以下の範囲内に有することによって、皮膚色の色再現性の視角依存性を低減することができる。このような関係を満足させるためには、入力階調−斜め４５°視角輝度曲線が一致する点は、第２副画素に印加される電圧がしきい値信号電圧に達した点と考えられることから、表２に示すように、０．１５＜ＳＲ１≦１．００、０．０３＜ＳＧ１＜０．７５、０．０２＜ＳＢ１＜０．７１の関係を満足すればよい。【００４１】
【表２】
0004570661.tif 000003
【００４２】
さらに、若い女性の皮膚色は、記憶色に比べばらつきが少ない（色彩学概論：千々岩英彰；東京大学出版会ｐ１３０）との観点から、０．４２＜ＳＲ１≦０．９５、０．２２＜ＳＧ１＜０．７８、０．１５＜ＳＢ１＜０．４４の関係を満足することがさらに好ましい。ここで、入力階調−正面輝度曲線と入力階調−斜め視角輝度曲線が一致する点とは、斜め視角輝度が正面輝度の±１％以内にあることをいう。正面輝度に対して±１％以内であれば、記憶色として重要な皮膚色であっても、色変化として認識されることはほとんどない。また、斜め視角（極角）は４５°までの範囲であれば、通常のテレビジョン用途における殆どの利用形態を含んでいるので問題ないが、特に広視野角が望まれる用途においては斜め６０°視角の階調特性が正面視角の階調特性と一致するように設定することが好ましい。なお、入力階調−正面輝度曲線と入力階調−斜め視角輝度曲線は必ずしも一致しなくても良く、第２副画素に印加される電圧がしきい値信号電圧に達した点が上記範囲内に収まるようにすれば、皮膚色の色変化が認識されることを抑制できる。【００４３】
上記の実施形態では、視角特性を最適化する階調を三原色（ここでは、Ｒ、ＧおよびＢ）ごとに、第１副画素ＳＰ１と第２副画素ＳＰ２との面積比率を調整したが、第１副画素ＳＰ１の一垂直走査期間における点灯期間比率を調整しても同様の結果を得ることが出来る。ここで一垂直走査期間とは、入力映像信号で規定される期間ではなく、液晶表示装置について規定される期間であり、ある画素に信号電圧が供給されてから、再び信号電圧が供給されるまでの期間である。例えば、ＮＴＳＣ信号の１フレームは３３．３ｍｓであるが、一般に液晶表示装置ではＮＴＳＣ信号の１／２フレーム＝１フィールド（１６．７ｍｓ）の期間内に全ての画素に信号電圧の書き込みを行っている。すなわち、この場合、１６．７ｍｓが液晶表示装置の一垂直走査期間である。さらに、応答特性を改善する目的などのために倍速駆動を行う場合、液晶表示装置の一垂直走査期間は、さらに半分の８．４ｍｓとなる。【００４４】
例えば、上記の実施形態と同様に特許文献１〜３に記載されている画素分割構造を採用し、さらに時間分割を適用する実施形態を説明する。【００４５】
図８は、本発明による他の実施形態の液晶表示装置１００の１つの画素１０の構成を模式的に示す図である。【００４６】
画素１０は、副画素１０ａ、１０ｂに分割されており、副画素１０ａ、１０ｂは、それぞれＴＦＴ１６ａ、ＴＦＴ１６ｂ、および補助容量（ＣＳ）２２ａ、２２ｂが接続されている。ＴＦＴ１６ａおよびＴＦＴ１６ｂのゲ−ト電極はそれぞれ走査線１２ａと１２ｂとに接続され、ソース電極は共通の（同一の）信号線１４に接続されている。補助容量２２ａ、２２ｂは、それぞれ補助容量配線（ＣＳバスライン）２４ａおよび補助容量配線２４ｂに接続されている。補助容量２２ａおよび２２ｂは、それぞれ副画素電極１８ａおよび１８ｂに電気的に接続された補助容量電極と、補助容量配線２４ａおよび２４ｂに電気的に接続された補助容量対向電極と、これらの間に設けられた絶縁層（不図示）によって形成されている。補助容量２２ａおよび２２ｂの補助容量対向電極は互いに独立しており、それぞれ補助容量配線２４ａおよび２４ｂから互いに異なる補助容量対向電圧が供給され得る構造を有している。ＴＦＴ１６ａおよびＴＦＴ１６ｂのゲ−ト電極がそれぞれ独立の走査線１２ａと１２ｂとに接続されている以外の電気的な接続関係は、上記の実施形態（特許文献１の図１２）と同じである。【００４７】
本実施形態の液晶表示装置１００では、副画素１０ａのＴＦＴ１６ａと副画素１０ｂのＴＦＴ１６ｂが電気的に独立な走査線１２ａと１２ｂとに接続されているので、それぞれが点灯し始めるタイミングをずらすことが可能であり、副画素１０ａの一垂直走査期間における点灯期間比率を調整できる。ここで、副画素１０ａを第１副画素ＳＰ１とし、副画素１０ｂを第２副画素ＳＰ２とし、Ｒ画素、Ｇ画素およびＢ画素のそれぞれの第１副画素ＳＰ１の一垂直走査期間における点灯期間比率をＴＲ１、ＴＧ１およびＴＢ１とすると、ＴＲ１＞ＴＧ１＞ＴＢ１の関係が成立するように調節すれば、第１副画素ＳＰ１と第２副画素ＳＰ２との面積比がＲ画素、Ｇ画素およびＢ画素の全てにおいて１：１であっても、先の実施形態と同じ効果を得ることができる。すなわち、先の実施形態における面積比率（例えばＳＲ１）と、本実施形態における点灯期間比率（例えばＴＲ１）とは、階調特性に与える影響は等価である。【００４８】
従って、図８に示した実施形態の液晶表示装置１００において、副画素１０ａと副画素１０ｂとの面積比を調整することによって、上記２つの実施形態を組み合わせることができる。【００４９】
Ｒ画素、Ｇ画素およびＢ画素のそれぞれにおける第１副画素ＳＰ１の面積比率をＳＲ１、ＳＧ１およびＳＢ１とし、Ｒ画素、Ｇ画素およびＢ画素のそれぞれの第１副画素ＳＰ１の一垂直走査期間における点灯期間比率をＴＲ１、ＴＧ１およびＴＢ１とすると、（ＳＲ１×ＴＲ１）＞（ＳＧ１×ＴＧ１）＞（ＳＢ１×ＴＢ１）の関係が成立するようにすればよい。また、０．１５＜（ＳＲ１×ＴＲ１）≦１．００、０．０３＜（ＳＧ１×ＴＧ１）＜０．７５、０．０２＜（ＳＢ１×ＴＢ１）＜０．７１の関係を満足するように、副画素の面積比率および／または点灯期間比率を調整すればよい。なお、先の実施形態で説明したように、面積比率だけを調整する、すなわちＴＲ１、ＴＧ１およびＴＢ１を１．００とする構成を採用すれば、２つの副画素ＳＰ１およびＳＰ２（図８中の１０ａおよび１０ｂ）を一本の走査線で駆動することができるので、液晶表示装置の構造を単純にできるという利点がある。【００５０】
また、本発明は、上記特許文献１〜３に記載の空間画素分割技術を好適に利用できるがこれに限られず、特開平５−２８９１０８号公報や特開２００４−２１３０１１号公報などに記載されている空間画素分割技術およびこれらの組み合わせを利用できる。さらには、上述したように時間画素分割技術（例えば特許文献４）を利用することもでき、時間画素分割技術と空間画素分割技術との組み合わせを利用することもできる。【００５１】
本願の優先権主張の基礎出願である特願２００５−２７６４１９号および特許文献１〜４ならびに特開平５−２８９１０８号公報および特開２００４−２１３０１１号公報の全ての開示内容を参考のために本明細書に援用する。
【産業上の利用可能性】
【００５２】
本発明は液晶表示装置、特にテレビジョン用の液晶表示装置に好適に用いられる。
【図１】
0004570661.tif 000004
【図２】
0004570661.tif 000005
【図３】
0004570661.tif 000006
【図４】
0004570661.tif 000007
【図５】
0004570661.tif 000008
【図６】
0004570661.tif 000009
【図７】
0004570661.tif 000010
【図８】
0004570661.tif 000011